(57)【要約】  【課題】  ノズルプレートを備えるヘッドユニットに形成されるインク供給口に、フィルタ部材を介して流路部材を接続するインクジェットプリンタヘッドにおいて、前記フィルタ部材と前記流路部材との固着強度をさらに向上したヘッドユニットを備えるインクジェットプリンタヘッドを提供することである。【解決手段】  前記インク供給口３０に対応して複数のフィルタ孔２０を設けたフィルタ２を介して流路部材１を接続し、インク供給源からのインクを、前記流路部材１から前記フィルタ２のフィルタ孔２０を通して、前記ヘッドユニットに供給する際に、前記フィルタ孔２０を、前記流路部材１を固着する固着領域２０ｂまで設けると共に、前記固着領域において、前記フィルタ孔を含めて前記フィルタ２と前記流路部材１とを接着する構成とした。【選択図】    図１
2006015506.tif 000002
【特許請求の範囲】
【請求項１】
インクを吐出するヘッドユニットのインクが供給されるインク供給口を形成したインク供給口部に、前記インク供給口に対応して複数のフィルタ孔を設けたフィルタを介して流路部材を接続し、インク供給源からのインクを、前記流路部材から前記フィルタのフィルタ孔を通して、前記ヘッドユニットに供給するインクジェットプリンタヘッドにおいて、
前記フィルタは、前記インク供給口に対応した領域の外周に前記流路部材を固着する固着領域を有し、
前記フィルタ孔を前記固着領域まで設けると共に、前記固着領域において、前記フィルタ孔を含めて前記フィルタと前記流路部材とを前記インク供給口部に固着することを特徴とするインクジェットプリンタヘッド。
【請求項２】
前記流路部材の、前記フィルタに固着する固着部の流路口径が前記インク供給口の開口径よりも大きく、且つ、前記フィルタの外径が前記流路部材の外径より大きいか略等しいことを特徴とする請求項１に記載のインクジェットプリンタヘッド。
【請求項３】
前記インク供給口に対応した領域のフィルタ孔と、前記固着領域のフィルタ孔の口径を同一とし、且つ、フィルタ孔間の間隔も同一とし、前記フィルタと前記流路部材とを接着剤にて前記インク供給口部に接着した状態で、前記流路部材と前記インク供給口部とを連結するように前記固着領域のフィルタ孔内に前記接着剤を浸入させていることを特徴とする請求項１または２に記載のインクジェットプリンタヘッド。
【請求項４】
前記固着領域において、前記インク供給口の中心から半径方向に見たときに、前記流路部材の前記固着部に対する領域の内端から少なくともほぼ中間位置まで前記フィルタ孔を設けたことを特徴とする請求項３に記載のインクジェットプリンタヘッド。
【請求項５】
前記フィルタ孔を、前記フィルタの全域に設けたことを特徴とする請求項４に記載のインクジェットプリンタヘッド。
【請求項６】
前記接着剤が熱硬化性の接着剤であって、該接着剤を塗布した前記流路部材を前記ヘッドユニットのインク供給口の周囲に接着するフィルタに押し当てて徐々に加熱硬化し、前記接着剤の一部が前記固着領域のフィルタ孔を貫通して侵入した状態で硬化させたことを特徴とする請求項３から５のいずれかに記載のインクジェットプリンタヘッド。
【請求項７】
前記流路部材が樹脂製で、前記フィルタが金属製の板材からなることを特徴とする請求項１から６のいずれかに記載のインクジェットプリンタヘッド。
【請求項８】
前記フィルタの厚みが約５〜２０μｍで、前記フィルタ孔の口径が約１０〜１５μｍであることを特徴とする請求項７に記載のインクジェットプリンタヘッド。
【発明の詳細な説明】
【技術分野】
【０００１】
本発明は、インクジェットプリンタヘッドに関する。
【背景技術】
【０００２】
従来、インクジェットプリンタヘッドは、インク供給源からインク供給通路を介してヘッドユニットのインク供給口へインクを供給し、該ヘッドユニットに装着されるプレート型の圧電アクチュエータにより、多数のノズル孔と連通する圧力室に所定の圧力を選択的に付与して、前記ノズル孔からそれぞれのインクを吐出する構成とされている。
【０００３】
前記ヘッドユニットのインク供給口には、インク供給通路を形成する樹脂製の流路部材が接続されており、該流路部材を経由してインク供給源からのインクを前記ヘッドユニットへ供給している。また、前記ノズル孔等に異物やゴミ等が流れ込んで閉塞することや、インクの吐出不良を防止するために、前記インク供給口に、インクを濾過するフィルタを装着している。
【０００４】
つまり、前記インク供給口には、前記フィルタと樹脂製の流路部材が装着される。
【０００５】
前記フィルタや前記流路部材をインク供給口に装着するには、一般に接着または溶着により行われている。また、前記インク供給口は金属製（例えばニッケル合金）のベースプレートに設けられており、前記フィルタも一般的に金属製（例えばニッケル合金）である。そのために、それぞれを接着構成する際には、金属製のベースプレートに金属製のフィルタを接着し、該フィルタに樹脂製の流路部材を接着することになる。また、樹脂製の流路部材は接着ではなく、超音波溶着により前記フィルタや前記ベースプレートに溶着して固着することもできる。
【０００６】
このようなフィルタは、一般に、ノズル孔径よりも小さな多数の微細なフィルタ孔を有している。フィルタ孔径が大きいとフィルタとしての所望の機能を果たさないので、該孔径を小さくすると共に、これに伴う流路抵抗の増加を抑制するためにフィルタ孔部（フィルタ領域）を広くとっている。すなわち、インク供給口の領域に多数の微細な孔を形成するようにしている。
【０００７】
前記フィルタとしては、繊維や細い金属線を織った織目をフィルタ孔とするメッシュ状のフィルタや、エッチング法や電鋳法により製造され、丸孔等の所定形状のフィルタ孔を有する薄い板金製のフィルタが知られている。
【０００８】
上記エッチング法や電鋳法による製造されるフィルタは、比較的薄い板金製のフィルタが製造でき好適であるが、エッチング法によるフィルタ孔の形成に比較して、電鋳法によるフィルタ孔の形成では、さらに精密な孔形状を形成可能であり、より好ましい。
【０００９】
また、フィルタを装着する際に、フィルタをフィルタ用凹部に収容して接着物を充填するとしたフィルタユニット及び同ユニットを備えたインクジェットが既に公開されている（例えば、特許文献１参照）。
【特許文献１】特開２００１−２３９６７７号公報（第１−６頁、第２図）
【発明の開示】
【発明が解決しようとする課題】
【００１０】
フィルタや流路部材を接着構成とすると、作業工程が複雑でなく、作業自体も容易であるが、周囲の温度変化等により、前記フィルタと前記流路部材との接着面に剥離が生じたりして接着強度が劣化する場合がある。また、前記流路部材は肉厚の薄い円環状部材であるので、その接着部の幅がせまく、その接着強度が不十分であり、それらの接着強度をさらに増加させることが望まれている。
【００１１】
また、フィルタ用凹部にフィルタを収容して接着物を充填する方法では、フィルタ厚みに応じたフィルタ用凹部を加工する工程や、前記凹部に接着物を充填する工程が必要であり、依然として製造工程が長くなっている。
【００１２】
本発明の目的は、ノズルプレートを備えるヘッドユニットに形成されるインク供給口に、フィルタ部材を介して流路部材を接続するインクジェットプリンタヘッドにおいて、前記フィルタ部材と前記流路部材との固着強度をさらに向上したヘッドユニットを備えるインクジェットプリンタヘッドを提供することである。
【課題を解決するための手段】
【００１３】
上記の目的を達成するために請求項１に係る発明は、インクを吐出するヘッドユニットのインクが供給されるインク供給口を形成したインク供給口部に、前記インク供給口に対応して複数のフィルタ孔を設けたフィルタを介して流路部材を接続し、インク供給源からのインクを、前記流路部材から前記フィルタのフィルタ孔を通して、前記ヘッドユニットに供給するインクジェットプリンタヘッドにおいて、前記フィルタは、前記インク供給口に対応した領域の外周に前記流路部材を固着する固着領域を有し、前記フィルタ孔を前記固着領域まで設けると共に、前記固着領域において、前記フィルタ孔を含めて前記フィルタと前記流路部材とを前記インク供給口部に固着することを特徴としている。
【００１４】
上記の構成を有する請求項１に係る発明によれば、固着領域に設けたフィルタ孔を介してフィルタと流路部材とを固着するので、前記フィルタ孔に固着物が侵入して固着強度を向上させることができる。
【００１５】
請求項２に係る発明は、前記流路部材の、前記フィルタに固着する固着部の流路口径が前記インク供給口の開口径よりも大きく、且つ、前記フィルタの外径が前記流路部材の外径より大きいか略等しいことを特徴としている。
【００１６】
上記の構成を有する請求項２に係る発明によれば、流路抵抗を悪化しない口径の流路部材であり、該流路部材を固着するフィルタ外径が前記流路部材の外径より大きいので、該流路部材を確実に固着することができる。
【００１７】
請求項３に係る発明は、前記インク供給口に対応した領域のフィルタ孔と、前記固着領域のフィルタ孔の口径を同一とし、且つ、フィルタ孔間の間隔も同一とし、前記フィルタと前記流路部材とを接着剤にて前記インク供給口部に接着した状態で、前記流路部材と前記インク供給口部とを連結するように前記固着領域のフィルタ孔内に前記接着剤を浸入させていることを特徴としている。
【００１８】
上記の構成を有する請求項３に係る発明によれば、フィルタに設けるフィルタ孔を同一のタイミングで同一の手法で設けることができ、さらに固着領域のフィルタ孔を接着用のフィルタ孔として利用することができる。
【００１９】
請求項４に係る発明は、前記固着領域において、前記インク供給口の中心から半径方向に見たときに、前記流路部材の前記固着部に対する領域の内端から少なくともほぼ中間位置まで前記フィルタ孔を設けたことを特徴としている。
【００２０】
上記の構成を有する請求項４に係る発明によれば、流路部材をインク供給口部に接着する際に、前記フィルタ孔を接着用のフィルタ孔として利用することができ、接着強度が向上する。
【００２１】
請求項５に係る発明は、前記フィルタ孔を、前記フィルタの全域に設けたことを特徴としている。
【００２２】
上記の構成を有する請求項５に係る発明によれば、フィルタに設けるフィルタ孔を同一のタイミングで同一の手法で設けることができ、インク供給用のフィルタ孔と固着領域の接着用フィルタ孔の他に、接着剤等の逃がし孔部を同時に形成することができる。
【００２３】
請求項６に係る発明は、前記接着剤が熱硬化性の接着剤であって、該接着剤を塗布した前記流路部材を前記ヘッドユニットのインク供給口の周囲に接着するフィルタに押し当てて徐々に加熱硬化し、前記接着剤の一部が前記固着領域のフィルタ孔を貫通して侵入した状態で硬化させたことを特徴としている。
【００２４】
上記の構成を有する請求項６に係る発明によれば、接着剤を加熱硬化させる際に、該接着剤を固着領域の接着用フィルタ孔に浸入させて、固着することができ、接着強度が向上する。
【００２５】
請求項７に係る発明は、前記流路部材が樹脂製で、前記フィルタが金属製の板材からなることを特徴としている。
【００２６】
上記の構成を有する請求項７に係る発明によれば、板状の金属製フィルタに樹脂製の流路部材を強固に接着した構成のインク供給口を形成することができる。
【００２７】
請求項８に係る発明は、前記フィルタの厚みが約５〜２０μｍで、前記フィルタ孔の口径が約１０〜１５μｍであることを特徴としている。
【００２８】
上記の構成を有する請求項８に係る発明によれば、インクジェットプリンタに好適なサイズのフィルタを、そのフィルタ孔をそのまま流路部材の接着用フィルタとして利用することができる。
【発明の効果】
【００２９】
本発明によるインクジェットプリンタヘッドであれば、フィルタと流路部材との固着強度を向上することができる。
【発明を実施するための最良の形態】
【００３０】
以下、本発明に係るインクジェットプリンタヘッドの実施の形態を、図１から図７に基づいて詳細に説明する。
【００３１】
図１は本発明に係る流路部材とフィルタの第一の例を示し、（ａ）は流路部材とフィルタとの接着構成を示す概略説明図であり、（ｂ）はフィルタの平面図である。図２はフィルタの一部拡大図である。図３は従来の方法による流路部材とフィルタとの接着構成を示す概略説明図である。図４はヘッドユニットの拡大図であり、（ａ）はヘッドユニットにフィルタを装着したところを示し、（ｂ）にはさらに流路部材を装着したところを示している。図５はインクカートリッジを取り外したインクジェットプリンタヘッドの構成を示す斜視図であり、図６はインクカートリッジを装着したインクジェットプリンタヘッドの全体斜視図である。図７は本発明に係る流路部材とフィルタの第二の例を示し、（ａ）は流路部材とフィルタとの接着構成を示す概略説明図であり、（ｂ）はフィルタの平面図である。
【００３２】
本発明に係る流路部材とフィルタとはインクジェットプリンタヘッドに装着され、インク供給源（例えばインクカートリッジ）からのインクを多数のノズル孔を有するノズルプレートに供給する経路に設けられている。
【００３３】
このうち、インクを濾過するフィルタは、前記ノズル孔等に異物やゴミ等が流れ込むことで、インクの不吐出や吐出不良が発生するのを防止するために、インクジェットプリンタヘッドを構成するヘッドユニットのインク供給口に装着される。さらに、流路部材がこのフィルタをヘッドユニットと共に挟むようにインク供給口に接続されている。
【００３４】
まず、インクジェットプリンタヘッドの概要について図４から図６により説明する。
【００３５】
図６は、インクジェットプリンタヘッドＨの一例を示している。このインクジェットプリンタヘッドＨは、これを搭載するキャリッジを搬送される被記録媒体に対して走査して印字するインクジェットプリンタの一構成部品である。図６に示すように、インクジェットプリンタヘッドＨは、主には、色の異なるインクを貯留している複数のインクカートリッジ８（８Ａ、８Ｂ、８Ｃ、８Ｄ）と、これを着脱可能に搭載するヘッドホルダ７と、この図６では見えない位置にあるので示されていないが、ヘッドホルダ７の底面部に装着されているヘッドユニット（後述）とから構成される。このインクジェットプリンタヘッドＨは、印字をするために、キャリッジに搭載されるものである。
【００３６】
図５には、インクカートリッジ８を取り外したインクジェットプリンタヘッドＨの構成を示している。インクジェットプリンタヘッドＨは、インクカートリッジ８の他に、前記インクカートリッジ８のインク供給口に連なるジョイント部材６と、該ジョイント部材６に接続してインクを供給されるヘッドユニット３Ａ、３Ｂとを備えている。なお、それぞれのヘッドユニット３Ａ、３Ｂはインクを吐出するノズルプレートを備えているが、その構成は周知でありここでは詳述しない。また、これら二つのヘッドユニット３Ａ、３Ｂはヘッドホルダ７の底面部裏面に装着される。そのため、それぞれのインクカートリッジ８からジョイント部材６を介してインクを前記ノズルプレートへインクを供給可能とするために、各ヘッドユニット３Ａ、３Ｂはヘッドホルダ７の底面部を貫通しジョイント部材６に接続する流路部材１を装着している。
【００３７】
図４は、ヘッドユニット３の拡大斜視図であり、（ａ）はヘッドユニット３にフィルタ２を装着したところを示しており、（ｂ）はさらに流路部材１を装着したところを示している。
【００３８】
本実施の形態では、図５に示すように、一つのヘッドユニット３が、二つの異なる色のインクを吐出するように構成されている。さらに、図４に示すように、ヘッドユニット３は、一つの色のインクに対して二つのインク供給口を備えており、これらのインク供給口に固着するフィルタの実効的面積を広く取れるように構成している。
【００３９】
即ち、一つの色のインクに対応するジョイント部６の一つの流路に対して、流路部材１の二つの流路が接続しており、図示はしていないが両者の接続部において、一つの色のインクに対応して形成される流路が二本の流路に分岐している。そして、この分岐した流路が二つのフィルタ２を介してヘッドユニット３の二つのインク供給口に連通している。
【００４０】
このように、本実施の形態では、ヘッドユニット３のインク供給口部には、一つの色のインクに対して二つのインク供給口が形成されている。
【００４１】
つまり、インクカートリッジ８に貯留されているインクをヘッドユニット３のノズルプレートに供給するために、インクカートリッジ８（８Ａ、８Ｂ、８ｃ、８Ｄ）の四つの出口に対して、それぞれに対応する四つの流路を有するジョイント部材６、各ヘッドユニット３Ａ、３Ｂ毎に四つの流路を有する二つの流路部材１、これら二つの流路部材１の各流路に対して配置される合計八つのフィルタ２及び二つのヘッドユニット３が順に接続することで、インクカートリッジ８からノズルプレートのノズル孔に連通する一連のインク流路が形成されている。なお、ヘッドユニット３の内部にも、インク供給口から複数のノズル孔に連なる複数の流路が形成されているが、ここでは詳述しない。
【００４２】
次に、本発明に係る流路部材１とフィルタ２との接続構成について図１から図３により詳細に説明する。これらの図においては、薄い板状製品である前記フィルタ２を、その幅を誇張して厚みを持たせた形状とし、さらに接着剤も誇張して判り易く図示している。
【００４３】
前記流路部材１は図１（ａ）に示すように、ヘッドユニット３のインク供給口部に固着されるフィルタ２に対して、接着剤４で固着されて一体構成されている。前記ヘッドユニット３はノズルプレートやアクチュエータプレート等の複数の基板を積層した構成であり、インクジェットプリンタのヘッドユニットとして周知のものである。また、インク供給口部を含むヘッドユニット３の表面は、金属部材であるステンレスで形成されている。
【００４４】
前記フィルタ２は薄い板状で且つインクを濾過し、インク内の異物を遮断するために細かい均一な形状のフィルタ孔が望ましい。そのため、本実施の形態では、フィルタ２が所定形状の微細な孔を成型可能な電鋳法により製造した金属製（例えばニッケル合金）の板材として形成されている。
【００４５】
また、前記流路部材１は、所定形状に成型容易であり、さらに軽量であることから、樹脂製の流路部材１が採用されている。そして、金属製のフィルタ２に樹脂製の流路部材１を固着している。
【００４６】
前記ヘッドユニット３は，図１（ａ）に示すように、その開口径がＤ３ａのインク供給口３０を備えており、該インク供給口部にフィルタ２と流路部材１が接続されている。また、図示していないインク供給源から図中の矢印方向にインクが流れ、前記流路部材１からフィルタ２を介してノズルプレートを備えるヘッドユニット３へ供給される構成である。
【００４７】
流路部材１の流路口径Ｄ１ａは、前記インク供給口３０の開口径Ｄ３ａよりも大きくしている。また、フィルタ２の外径Ｄ２は流路部材１の外径Ｄ１より大きいかほぼ等しい大きさとしている。本実施の形態では、図示したように、フィルム２と流路部材１との間に存在する接着剤４がヘッドユニット３の表面に流れ出てしまうことを抑制するために、フィルタ２の外径Ｄ２は流路部材１の外径Ｄ１に比べて少し大きめに形成してある。それから、前記流路部材１の流路口径Ｄ１ａと外径Ｄ１との間が、該流路部材１を固着する面となる固着部１ａである。
【００４８】
さらに、フィルタ２に設けるフィルタ孔２０を前記流路口径Ｄ１ａよりも大きい口径Ｄ２ａの範囲にまで拡張して設ける構成としている。
【００４９】
つまり、前記フィルタ２は、図１（ｂ）に示すように、前記インク供給口３０に対応した領域２０ａの外周に，前記流路部材１を固着する固着領域２０ｂを有している。この固着領域２０ｂは、流路部材１の固着部１ａに対向する領域で、前記フィルタ孔２０を前記固着領域２０ｂまで設けると共に、前記固着領域２０ｂにおいて、前記フィルタ孔２０を含めて前記フィルタ２と前記流路部材１とを前記インク供給口部に固着する構成としている。
【００５０】
この実施の形態では、フィルタ孔２０は、フィルタ領域２０ａの中心から半径方向に、流路部材１の固着部１ａ内端を越して固着領域２０ｂのほぼ中間位置まで設けられている。これら二つの領域２０ａ、２０ｂに設けられた各フィルム孔２０には区別がなく、いずれも同じ形状とサイズを有し、互いに同じ間隔で形成されている。なお、固着領域２０ｂでも、さらに外周部にはフィルタ孔２０が形成されておらず、フィルタ２の全体的な剛性を確保することに寄与している。
【００５１】
従来の繊維や細い金属線を織った織目をフィルタ孔とするメッシュ状のフィルタは、該フィルタの外周が湾曲しており、全体的な剛性が不足していると共に、インク供給口のフィルタ装着面および前記流路部材とにぴったり密着して貼付することは困難である。
【００５２】
もちろん、前記固着領域２０ｂのフィルタ領域２０ａ側では、多数のフィルタ孔２０が設けられているので、固着部１ａに塗布された接着剤４の余剰分は、これらのフィルタ孔２０に侵入することになり、フィルタ領域２０ａを狭くしてしまうことはない。
【００５３】
このような形態のフィルタ２を形成するには、例えば、金属製の薄板にレジストでフィルタ孔２０の対応するパターンを形成し、その後に溶剤で貫通孔を形成するエッチング法を用いてもよいし、後述の電鋳法で形成してもよい。
【００５４】
前記流路部材１は樹脂製としているので、金属製のフィルタ２に溶着して固着することも可能であるが、接着剤を用いて固着する構成とすれば、固着する相手の部材に拘らずに接着することができるので、作業が容易となる。
【００５５】
そのために、流路部材１をフィルタ２に接着する固着部１ａに、前記フィルタ孔２０の一部が位置した状態で、前記流路部材１を前記フィルタ２に接着することになる。これにより、前記固着部１ａに貼付した接着剤４が、前記固着領域２０ｂにある前記フィルタ孔２０に侵入して固化し、流路部材１とフィルタ２との接着強度（固着強度）を向上させる。
【００５６】
本実施例においては、前記接着剤４として熱硬化性の接着剤を用いている。これは、加熱中にある程度の流動性を持つようになって、前記フィルタ孔２０に侵入するが、所定の温度に達すると固化するためである。そのために、前記流路部材１の固着部１ａに熱硬化性の接着剤４を塗布して、前記ヘッドユニット３のインク供給口３０の周囲に接着するフィルタ２に押し当てて徐々に加熱硬化すると、前記接着剤４の一部が前記固着領域２０ｂのフィルタ孔２０に少なくとも侵入した状態で硬化することになる。
【００５７】
この時、接着剤４が、図１（ａ）に示すように、フィルタ孔２０の上部付近に留まるように浸入するだけでも、接着剤４によるアンカー効果を期待することができ、流路部材１とフィルタ２とは強固に固定される。
【００５８】
なお、この流路部材１の接着工程において、固着部１ａに塗布された接着剤４が、フィルタ孔２０内のどの程度の深さにまで侵入することになるかは、接着剤４の塗布量、接着剤４の流動性、フィルタ２の厚さ、フィルタ孔２０のアスペクト比等により決まるものである。
【００５９】
例えば、フィルタ２の厚さを薄くすると共に、この板厚に比べてフィルタ孔２０の開口径を大きくすることで、接着剤４がフィルタ孔２０を貫通して、ちょうどフィルタ２を介して流路部材１とインク供給口部とを連結するように浸入する。この時、接着剤４は、流路部材１をインク供給口部に直接的に固着する。このような形態とすることで、流路部材１とフィルタ２とインク供給口部との三者を互いに強固に固定することもできる。
【００６０】
また、前記固着領域２０ｂのフィルタ孔２０は、前記流路部材１に対するフィルタ固着領域における半径方向の内端１ｂから少なくとも中間位置まで拡張して設けた構成としているが、予め金型を準備しておき、この型を利用した電鋳法によりフィルタを製造してもよい。この場合、フィルタ孔の数によりコストが高くならないので、フィルタの全域にまで前記フィルタ孔を設けることも可能である。
【００６１】
この形態の一例を図７に示す。この図は、本発明に係る流路部材とフィルタの第二の例を示し、（ａ）は流路部材とフィルタとの接着構成を示す概略説明図であり、（ｂ）はフィルタの平面図である。なお、先に説明した実施の形態と同じ構成については、共通の符号を用いている。
【００６２】
この形態では、先に説明した形態と同様に、フィルタ２の外径Ｄ２は流路部材１の外径Ｄ１より少し大きく形成してある。さらに、フィルタ孔２０をフィルタ２の全面に設けてフィルタ領域２０ｃを形成している。これにより、確実に余剰の接着剤４がヘッドユニット３の表面にまで流れ出ることを防ぐことができる。しかし、流路部材１の固着部１ａに対向する領域全体にフィルタ孔２０が設けられているので、余剰の接着剤４はその大部分がこれらフィルタ孔２０の内部に侵入することになり、ヘッドユニット３側に流れ出す心配はほとんどない。そのため、この形態の変形例として、フィルタ２の外径Ｄ２と流路部材１の外径Ｄ１とをほぼ同じ大きさに形成してもよい。
【００６３】
上記したように、前記フィルタ２は電鋳法によって製作することで、例えばニッケル合金製の厚みが約５〜２０μｍの薄板で、フィルタ孔の口径が約１０〜１５μｍの微細な均一な形状の孔を有するフィルタを一体的に製作することができる。
【００６４】
図２には、電鋳法により製造したフィルタ孔の一例を示しているが、フィルタ孔２０の口径ｄは全て同じであり（例えば１３μｍ）、孔の間隔Ｌ１も全て同一（例えば２３μｍ）としている。また各孔は正三角形状に配列されていて、６０°の角度で且つ前記Ｌ１と同じ間隔Ｌ２（例えば２３μｍ）をおいて各フィルタ孔２０が形成されている。なお、フィルタ孔２０の開口形状は、円形ではなく、例えば六角形のような多角形であってもよい。
【００６５】
従来の方法による流路部材とフィルタとの接着構成を図３に示している。ここで、フィルタ２Ａに設けられているフィルタ孔２０Ａは、インク供給口の開口径Ｄ３ｂに対応する部分のみに設けられていて、流路部材１Ａの固着部１Ａａに対向する領域には設けられていない。つまり、フィルタ孔２０Ａが設けられている口径Ｄ２ｂは、前記流路部材１Ａの流路口径Ｄ１ｂよりも小さい。もちろん、前記口径Ｄ２ｂはインク供給口の開口径Ｄ３ｂより小さくはなく、インクの流れは阻害しない構成である。
【００６６】
しかし、流路部材１Ａの平面状の固着部１Ａａをフィルタ２Ａのフィルタ孔が設けられていない平面部に単に接着すると、互いに線膨張係数が異なる、金属製の前記フィルタ２Ａと樹脂製の前記流路部材１Ａとを貼り合わせて接着する構成であるので、周囲の温度変化等によっては、両者の界面に強い内部応力が生じて接着剥がれが起こる場合がある。さらには、接着時に接着剤４がフィルタ孔部まで流れ込んで、図中に示す４ａ部のように、インク供給口の開口径Ｄ３ｂを一部閉塞することがあり、インクの適正な供給を阻害する場合があった。
【００６７】
そのために、本発明においては、フィルタ孔２０をインク供給口３０に対応した領域以上に拡張して設ける構成とし、該拡張して設けたフィルタ孔２０に流路部材１を接着する構成とした。
【００６８】
つまり、本発明に係るフィルタ２は、インク供給口３０に対応した領域２０ａの外周に前記流路部材１を固着する固着領域２０ｂを有し、フィルタ孔２０を前記固着領域２０ｂまで設けると共に、前記固着領域２０ｂにおいて、前記フィルタ孔２０に接着剤４が流れ込むようにして、前記フィルタ２と前記流路部材１とを接着し、前記インク供給口部に固着する構成としている。
【００６９】
そのために、互いに線膨張係数が異なる、金属製の前記フィルタ２と樹脂製の前記流路部材１とを貼り合わせて接着する構成であっても、その接着強度を向上させることができる。さらには、前記接着剤４がインク供給口３０に対応した領域２０ａに流れ込むことがないという効果も得られる。
【００７０】
また、接着剤を貼付し過ぎた場合でも、余分な接着剤が前記固着領域２０ｂ及びその近辺のフィルタ孔２０を貫通して流れ込むだけであり、接着強度が増加することはあっても、インクの適正な供給を阻害することがない。
【００７１】
前記フィルタ２は電鋳法により製造することで、同一のフィルタ孔をインクが流れる領域２０ａだけでなく、流路部材１を接着する固着領域２０ｂにまで拡張して設けることも容易であり、所定形状のフィルタ孔２０を所定範囲に配列した薄い金属製のフィルタを一工程で製造することができる。
【００７２】
上記したように、本発明に係るインクジェットプリンタヘッドは、フィルタに設けるフィルタ孔を流路部材の固着部にまで拡張して設けて、該拡張したフィルタ孔に接着剤を侵入させて、前記流路部材を前記フィルタに接着する構成としたので、フィルタと流路部材との接着強度を向上することができる。さらには、線膨張係数の異なる、金属製のフィルタと樹脂製の流路部材とを接着しても、接着剥がれが生じ難い。また、接着の際に接着剤が、前記固着部付近に拡張して設けたフィルタ孔に流れ込む構成としているので、余分な接着剤がインク供給口に対応した領域のフィルタ孔に侵入することがなく、インクの流路抵抗とはならず、適正な供給の邪魔とはならない。
【図面の簡単な説明】
【００７３】
【図１】本発明に係る流路部材とフィルタとの第一の例を示し、（ａ）は流路部材とフィルタとの接着構成を示す概略説明図であり、（ｂ）はフィルタの平面図である。
【図２】フィルタの一部拡大図である。
【図３】従来の方法による流路部材とフィルタとの接着構成を示す概略説明図である。
【図４】ヘッドユニットの拡大図であり、（ａ）はヘッドユニットにフィルタを装着したところを示し、（ｂ）にはさらに流路部材を装着したところを示している。
【図５】インクカートリッジを取り外したインクジェットプリンタヘッドの構成を示す斜視図である。
【図６】インクカートリッジを装着したインクジェットプリンタヘッドの全体斜視図である。
【図７】本発明に係る流路部材とフィルタとの第二の例を示し、（ａ）は流路部材とフィルタとの接着構成を示す概略説明図であり、（ｂ）はフィルタの平面図である。
【符号の説明】
【００７４】
１  流路部材
１ａ  固着部
１ｂ  内端
２  フィルタ
３  ヘッドユニット
４  接着剤
２０  フィルタ孔
２０ａ  （インク供給口に対応した）領域
２０ｂ  固着領域
３０  インク供給口
Ｄ１  流路部材の外径
Ｄ２  フィルタの外径
Ｄ１ａ  （流路部材の）流路口径
Ｄ２ａ  （フィルタ孔が設けられている）口径
Ｄ３ａ  （インク供給口の）開口径
ｄ  フィルタ孔の口径
Ｌ１、Ｌ２  フィルタ孔間の間隔
【図１】
2006015506.tif 000003
【図２】
2006015506.tif 000004
【図３】
2006015506.tif 000005
【図４】
2006015506.tif 000006
【図５】
2006015506.tif 000007
【図６】
2006015506.tif 000008
【図７】
2006015506.tif 000009